(57)【要約】【課題】垂直軸風車を備える複数の風力発電ユニットを接近させて一体化した、高い構造上の強度を有する風力発電構造体を提供する。【解決手段】横断面が六角形状の風力発電ユニットを、平面方向に複数個並べてハニカム構造を形成するように一体化して形成され、風力発電ユニットは、六角柱状の骨格を有するフレームと、六角柱の柱軸に平行な回転軸を有する垂直軸風車とを備える風力発電構造体。【選択図】図４
2015140736.tif 000002
【特許請求の範囲】
【請求項１】
横断面が六角形状の風力発電ユニットを、平面方向に複数個並べてハニカム構造を形成するように一体化して形成され、
前記風力発電ユニットは、六角柱状の骨格を有するフレームと、前記六角柱の柱軸に平行な回転軸を有する垂直軸風車とを備えることを特徴とする風力発電構造体。
【請求項２】
前記ハニカム構造を形成する複数個の各ユニットは、前記フレームの横断面の六角形の角が３つ集合して形成された最密充填構造を少なくとも一つ有する請求項１に記載の風力発電構造体。
【請求項３】
前記ハニカム構造を形成する複数個の各ユニットは、前記フレームの横断面の六角形の辺が平均２辺以上で隣接する前記ユニットに接している請求項１または２に記載の風力発電構造体。
【請求項４】
前記風力発電ユニットは、前記回転軸の回転により回転力を供給されて発電する回転式発電機をさらに備える請求項１〜３の何れか１項に記載の風力発電構造体。
【請求項５】
前記風力発電ユニットは、前記垂直軸風車の前記回転軸に対する外側に、前記フレーム内に侵入した風の方向を制御するための少なくとも１つの風防部材をさらに備える請求項１〜４の何れか１項に記載の風力発電構造体。
【請求項６】
前記風防部材は、前記垂直軸風車の前記回転軸に対する外側の前記回転軸の同心円上で可動し、該回転軸に垂直な方向の断面が円弧状の、板またはシートである請求項５に記載の風力発電構造体。
【請求項７】
少なくとも２つの前記風防部材を備え、前記各風防部材は、前記垂直軸風車の前記回転軸に対する外側の前記回転軸の同心円上で可動し、少なくとも２つの前記各風防部材を組み合わせることにより、前記回転軸を中心とする水平方向の全周囲を覆うことが可能である請求項６に記載の風力発電構造体。
【請求項８】
前記同心円上に環状ラックが配置されており、
前記風防部材は前記環状ラックに固定されており、回転運動するピニオンに結合されて前記ピニオンの回転により移動する請求項６または７に記載の風力発電構造体。
【請求項９】
前記垂直軸風車は、少なくとも２枚のサボニウス型羽根を有し、
前記各サボニウス型羽根は、風受け側の面に対して垂直方向に、少なくとも１枚の隔壁を有する請求項１〜８の何れか１項に記載の風力発電構造体。
【請求項１０】
六角柱状の骨格を有するフレームと、前記六角柱の柱軸に平行な回転軸を有する垂直軸風車と、前記回転軸の回転により回転力を供給されて発電する回転式発電機と、前記垂直軸風車の前記回転軸に対する外側に、前記フレーム内に侵入した風の方向を制御するための風防部材とを備える風力発電装置。
【発明の詳細な説明】
【技術分野】
【０００１】
本発明は、複数の風力発電装置を一体化してなる風力発電構造体、及び風力発電装置に関する。
【背景技術】
【０００２】
近年、風力を利用した種々の風力発電装置が開発されている。代表的な風力発電装置としては、水平方向に配された回転軸を中心に回転する風車を有する水平軸型風力発電装置と、垂直方向に配された回転軸を中心に回転する風車を有する垂直軸型風力発電装置が知られている。
【０００３】
現在広く普及している水平軸型風力発電装置は、大型で長い羽根を有する風車を装着することにより優れた発電効率を実現している。しかしながら、水平軸型風力発電装置に大型の風車を装着する場合には回転軸や発電機を高所に配置する必要があり、また、水平軸型風力発電装置の風車は風向きに面してのみ回転するために風車の方向を風向に追従させる必要もあった。そのために装置が大規模になって、設置性やメンテナンス性が劣るという問題があった。また、高所に大型の羽根を装着した水平軸型風力発電装置は、低周波振動を発することによる健康被害の影響も懸念されている。
【０００４】
一方、垂直軸型風力発電装置は、地面から垂直方向に立ち上げられた回転軸を中心に回転する風車を有するために、低所に設置することができる。また、全方向からの風を受けることができるために風車の方向を風向に追従させる必要がない。従って、設置性やメンテナンス性に優れるという利点があった。
【０００５】
また、垂直軸型風力発電装置は、風車が回転するスペースのみを確保すれば設置できるために、複数の垂直軸型風力発電装置を接近させて並べて配置することができ、それにより発電量を増加させることもできる。例えば、下記特許文献１は、風車上下部外側にステーターコイルを固定する６本の支柱を設け、風車上下部にローター（永久磁石）を付けた一体化風車発電機で発電機（モ−タ−）を回す事で約２倍以上の発電出力が出来る一体化垂直軸風車発電機を開示し、その図７に、複数個の６本の支柱を設けた一体化垂直軸風車発電機を、接近させて並べて配置することを開示する。
【先行技術文献】
【特許文献】
【０００６】
【特許文献１】特開２００６−３３６６３０号公報
【発明の概要】
【発明が解決しようとする課題】
【０００７】
風力発電装置は、強風のときには大きな風荷重を受けるために、風車の羽根や回転軸に負担が掛かり、場合によっては損傷するおそれもあった。水平軸型風力発電装置の場合には羽根の角度を変更したり、風向に対する風車の方向を変更したりして、風を受けにくくしたり回転を止めたりすることもできる。しかしながら、垂直軸型風力発電装置の場合には、通常、風車の向き及び羽根の向きは固定されているために、強風のときには風荷重を直接受ける。従って、垂直軸型風力発電装置は、その風車を支えるフレームに高い構造上の強度が求められる。
【０００８】
特許文献１の図７に開示された、複数の六角柱状の垂直軸風車発電機を接近させて並べて配置された風力発電構造体の場合、隣接する垂直軸風車発電機は、互いにおおよそ１辺しか接しておらず、一つの角度が１２０度の正六角形が一つの頂点を中心として３つ集合して形成されるハニカム構造による補強効果は奏さない。
【０００９】
本発明は、垂直軸風車を備える複数の風力発電ユニットを接近させて一体化させた風力発電構造体において、構造上の高い強度を有する風力発電構造体を提供することを目的とする。
【課題を解決するための手段】
【００１０】
本発明の一局面は、横断面が六角形状の風力発電ユニットを、平面方向に複数個並べてハニカム構造を形成するように一体化して形成され、風力発電ユニットは、六角柱状の骨格を有するフレームと、六角柱の柱軸に平行な回転軸を有する垂直軸風車とを備える風力発電構造体である。このような風力発電構造体によれば、六角柱状のフレームに垂直軸風車を支持した風力発電ユニットを最密構造であるハニカム構造を形成するように平面方向に並べて一体化しているために、あらゆる方向から強風を受けても高い構造上の強度を維持することができる。また、風力発電ユニットを接続して一体化して設置することができるために、設置場所の領域の形状に合わせて領域の輪郭を調整することが可能で、設置の自由度も高い。
【００１１】
また、ハニカム構造を形成する複数個の各ユニットは、フレームの横断面の六角形の角が３つ集合して形成された最密充填構造を少なくとも一つ有すること、または、フレームの横断面の六角形の辺が平均２辺以上で隣接するユニットに接していることが、補強効果が高い点から好ましい。
【００１２】
また、風力発電ユニットは、回転軸の回転により回転力を供給されて発電する回転式発電機をさらに備えることがユニットごとに独立した発電能力を有するために、メンテナンス性に優れる点から好ましい。
【００１３】
また、風力発電ユニットは、垂直軸風車の回転軸に対する外側に、フレーム内に侵入した風の方向を制御するための少なくとも１つの風防部材をさらに備えることが好ましい。上述のように、従来の一般的な垂直軸型風力発電装置は、風車の向き及び羽根の向きが固定されているために、受ける風力や風向の調整ができなかった。このような場合において、垂直軸風車の回転軸に対する外側に、フレーム内に侵入した風の方向を所望の方向に導く風防部材を設けることにより、風の流れの方向を自由に制御することができる。このような風防部材によれば、風力発電構造体内の風の通路を制御することができる。また、少なくとも２つの風防部材を備え、各風防部材は、垂直軸風車の回転軸に対する外側の回転軸の同心円上で可動し、少なくとも２つの各風防部材を組み合わせることにより、回転軸を中心とする水平方向の全周囲を覆うことが可能である場合には、例えば、台風時のような極めて強い風を全周囲から受けるような場合であっても、垂直軸風車の全周囲を覆う壁を形成することにより、垂直軸風車を全方向から保護して破損することを抑制できる。
【００１４】
また、風防部材は、垂直軸風車の回転軸に対する外側の回転軸の同心円上で可動し、該回転軸に垂直な方向の断面が部分円弧状の、板またはシートであることが好ましい。具体的には、例えば、同心円上に環状ラックが配置されており、風防部材は環状ラックに固定されており、回転運動するピニオンに結合されてピニオンの回転により移動するような形態が挙げられる。
【００１５】
また、垂直軸風車は、少なくとも２枚のサボニウス型羽根を有し、各サボニウス型羽根は、風受け側の面に対して垂直方向に、少なくとも１枚の隔壁を有することが好ましい。このような隔壁を設けることにより、弱風の場合でも、羽根に風を確実に捕捉させることができるために、発電効率を向上させることができるとともに、強風の場合には隔壁による補強効果により羽根の損傷を防ぐことができる。
【００１６】
また、本発明の他の一局面は、六角柱状の骨格を有するフレームと、六角柱の柱軸に平行な回転軸を有する垂直軸風車と、回転軸の回転により回転力を供給されて発電する回転式発電機と、垂直軸風車の回転軸に対する外側に、フレーム内に侵入した風の方向を制御するための風防部材とを備える風力発電装置である。また、本発明の風力発電装置によれば、垂直軸風車を備えた風力発電装置において、発電効率を向上させることができる。
【発明の効果】
【００１７】
本発明の風力発電構造体によれば、垂直軸風車を備える複数の風力発電ユニットを接近させて一体化した場合に、高い構造上の強度を保持させることができる。それにより、極めて強い風が吹くような場所に設置しても、安全性を維持することができる。また、本発明の風力発電装置によれば、垂直軸風車を備えた風力発電装置において、発電効率を向上させることができる。
【図面の簡単な説明】
【００１８】
【図１】図１（ａ）は、本発明に係る一実施形態の風力発電構造体を構成する垂直軸型風力発電装置である風力発電ユニット１０の上面模式図であり、図１（ｂ）は、風力発電ユニット１０の正面模式図である。
【図２】図２は、風力発電ユニット１０に収容された、垂直軸風車１及び風防部材５の動作を説明するための説明図である。
【図３】図３は、風防部材５の変形例である風防部材５ａ，５ｂを説明するため説明図である。
【図４】図４は、本発明に係る一実施形態の風力発電構造体１００の上面模式図である。
【図５】図５は隣接する風力発電ユニット１０同士を一体化する手段の一例を説明する部分上面模式図である。
【図６】図６は隣接する風力発電ユニット１０同士を一体化する手段の一例を説明する部分正面模式図である。
【図７】図７は隣接する風力発電ユニット２０同士を一体化する手段の一例を説明する部分上面模式図である。
【図８】図８は風力発電構造体１００を海上の浮体５０に設置したときの様子を示す模式図である。
【図９】図９は風力発電構造体１００を斜面６０に設置したときの様子を示す模式図である。
【発明を実施するための形態】
【００１９】
本発明に係る風力発電構造体、及び風力発電構造体を構成する風力発電ユニットの一実施形態を図面を参照しながら説明する。
【００２０】
図１（ａ）は、本発明に係る一実施形態の風力発電構造体を構成する風力発電装置である風力発電ユニット１０の上面模式図であり、図１（ｂ）は、風力発電ユニット１０の正面模式図である。また、図２は、風力発電ユニット１０に収容された垂直軸風車１が風を受けて回転するときの様子を説明するための説明図である。なお、図２においては、垂直軸風車１及び風防部材５を含む発電に関する部分以外の要素の図示は省略している。
【００２１】
はじめに、風力発電ユニット１０（以下、単にユニット１０とも称する）の構成及び動作を図１及び図２を参照しながら詳しく説明する。
【００２２】
図１に示すように、風力発電ユニット１０は、羽根１ａに風を受けて回転する垂直軸風車１と、垂直軸風車１の回転軸２と、垂直軸風車１及び回転軸２を内部に収容し、且つ回転軸２を支持する六角柱状の骨格を有するフレーム３と、回転軸２の回転により回転トルクを供給されて発電する回転式発電機４と、を備える。回転軸２の上端は六角柱状のフレーム３の柱軸の上部に配された軸受９で回転可能に支持されるとともに、その下端はその回転運動を伝達するように回転式発電機４に接続されている。
【００２３】
図１及び図２に示すように、風力発電ユニット１０は、回転軸２に対する垂直軸風車１の外側に、フレーム３内に侵入した風Ｗの方向を制御するための風防部材５を備える。風防部材５は、例えば、回転軸２に垂直な方向の断面が円弧状の板またはシートである部材であり、風の流れを遮ることにより風の流れを制御する部材である。風防部材５は、回転軸２の同心円上に配置された環状ラック６ｃに結合されている。環状ラック６ｃは、回転軸２を中心軸として回転軸２の同心円状に沿って回動するようにベアリングを備えた軸受７で支持されている。環状ラック６ｃの歯は、ピニオン軸６ｂに支持されたピニオン６ａの歯に噛みあわされている。ピニオン６ａは、サーボモータ８に連結されている。そして、サーボモータ８の駆動によりピニオン６ａが回転し、ピニオン６ａの回転により環状ラック６ｃが任意の位置まで回動することにより、風防部材５が所定の位置に移動する。なお、本実施形態においては、風防部材５を設けた例を示したが、風防部材５は必要に応じて設けられる任意の要素である。
【００２４】
図１に示すように、フレーム３は上面及び下面の六角形の骨格を形成する支柱３ａ及び、高さ方向の骨格を形成する支柱３ｃをジョイント３ｂで接続して形成されている。ジョイント３ｂは水平方向に互いに６０度の角度を維持して形成された支柱３ａを接続する三方向の継手及び垂直方向に形成された支柱３ｃを接続する一方向の継手を有する四方継手である。なお、フレーム６においては、後述する回転軸２に一致する六角柱の柱軸である中心軸２と６つの頂角をつなぐ梁として機能する支柱３ａも配されている。このように中心軸と６つの頂角とをつなぐような梁になる支柱をさらに配することにより、補強性がさらに向上する。
【００２５】
なお、後述する図７に示すように、隣接する風力発電ユニット１０が支柱３ａ及び支柱３ｃを共有する場合には、四方継手の代わりに、水平方向に互いに６０度の角度を維持して形成された支柱３ａを接続する六方向の継手及び垂直方向に形成された支柱３ｃを接続する一方向の継手を有する七方継手を用いてもよい。また、フレームを形成するための支柱同士の接合は継手によらず、溶接等により接合されたものであってもよい。このようにして形成される六角柱状の骨格を有するフレーム３は、横断面に略正六角形を形成する。
【００２６】
回転軸２は垂直軸風車１に接続されており、垂直軸風車１の羽根１ａが風を受けたときに回転軸２を中心軸として回転可能になるように、六角柱状の骨格を有するフレーム３の柱軸に沿うように垂直に配置されている。
【００２７】
羽根１ａは、水平方向のいずれの方向からの風に対しても回転軸２を中心として垂直軸風車１を一方向に回転させるような形状を有する。すなわち、垂直軸風車１は、フレーム３内に侵入した水平方向の全風向の風を受けて回転可能である。このような垂直軸風車の形状としては、サポニウス型、クロスフロー型、ダリウス型、ジャイロミル型等の形状が特に限定なく適用できる。
【００２８】
なお、本実施形態の風力発電ユニット１０においては、図２に示すように、垂直軸風車１として、サポニウス型の羽根であって、凹部を形成する風受け側の面Ｒに対して垂直方向に隔壁１ｂを設けている。このような形態の羽根を用いた場合には、弱風の場合でも、羽根に風を確実に捕捉させることができるために、発電効率を向上させることができるとともに、強風の場合には隔壁による補強効果により羽根の損傷を防ぐことができる点から好ましい。なお、サポニウス型の羽根の枚数は２枚以上であれば特に限定されず、例えば、２〜６枚、さらには２〜５枚の羽根を回転軸を中心として、等間隔に設けることが好ましい。また、各羽根に対する風を貯めるための隔壁の枚数は、風力発電ユニット１０が設置される場所の風力の特性や羽根の大きさ等に応じて適宜調整されるが、例えば、等間隔に、２〜１０枚、さらには３〜６枚程度を配することが好ましい。
【００２９】
回転式発電機４としては回転力により発電する発電機であればとくに限定なく用いられる。具体的には、例えば、ネオジム磁石を用いた回転式発電機等の電磁誘導型の回転式発電機が挙げられる。
【００３０】
また、風力発電ユニット１０においては、図１及び図２に示すように、回転軸２に対する垂直軸風車１の外側に、フレーム３内に侵入した風Ｗの方向を制御するための風防部材５を備える。風力発電ユニット１０においては、回転軸２の同心円状に沿って部分的に周囲を風防するような一つの風防部材５を備える例を示した。このような形態に代えて、図３に示すように、垂直軸風車１の回転軸２に対する外側で互いに異なる同心円上で可動する、２つの風防部材５ａ、５ｂを備え、２つの各風防部材５ａ，５ｂを組み合わせることにより、回転軸を中心とする水平方向の全周囲を覆うことが可能な形態も好ましい。すなわち、図３に示す風防部材の変形例では、２つの各風防部材５ａ，５ｂを有し、各風防部材５ａ、５ｂは、それぞれ、回転軸２の互いに異なる同心円上に配置された環状ラック６ｃ，６ｃ’に結合されている。環状ラック６ｃの歯は、ピニオン軸６ｂに支持されたピニオン６ａの歯に噛みあわされている。同様に環状ラック６ｃ’の歯は、ピニオン軸６ｂ’に支持されたピニオン６ａ’の歯に噛みあわされている。ピニオン６ａ，６ａ’は、それぞれサーボモータに連結されている。そして、サーボモータの駆動によりピニオン６ａ，６ａ’がそれぞれ回転し、各風防部材５ａ，５ｂを所定の位置に移動させることができる。
【００３１】
このように、２つの各風防部材５ａ，５ｂを組み合わせることにより、回転軸２を中心とする水平方向の全周囲を覆うことが可能になる。このような構成によれば、例えば、台風時のような極めて強い風を全周囲から受けるような場合であっても、垂直軸風車１の全周囲を覆って壁を形成することにより、垂直軸風車を全方向から保護して破損することを抑制できる。また、極めて強い風が吹いているときには、２枚の風防部材５ａ，５ｂを組み合わせて開口領域の大きさを適切に調整することにより、強風の場合でも垂直軸風車１に損傷を与えない程度の風を取り込ませて発電させることができる。
【００３２】
次に、上述したような風力発電ユニット１０をハニカム構造を形成するように配置して形成された風力発電構造体１００について図面を参照して説明する。
【００３３】
図４は、複数の風力発電ユニットの一例として、２２個の風力発電ユニット１０をハニカム構造を形成するように配置して形成された風力発電構造体１００の上面模式図である。図４に示すように、風力発電構造体１００は、上述したような横断面が六角形状の風力発電ユニット１０を、平面方向に複数個並べてハニカム構造を形成するように一体化している。
【００３４】
ハニカム構造は、上面視した場合に一つの頂角が１２０℃の正六角形がその頂角を３つ集合させることにより形成される最密充填構造である。このような最密充填構造を形成することにより、極めて高い補強効果が得られる。
【００３５】
ハニカム構造を形成する複数個の各風力発電ユニットは、フレームの横断面の六角形の辺が平均２辺以上、さらには平均３辺以上、とくには平均４辺以上、ことには平均５辺以上が接するように隣接する風力発電ユニットが接していることが、補強効果がより高い点から好ましい。風力発電ユニットの数は特に限定されないが、隣接する風力発電ユニット同士のフレームの横断面の六角形の辺の平均２辺以上が接するようなハニカム構造を形成するためには、３つ以上、さらには４つ以上、とくには５つ以上の風力発電ユニット１０が最密充填構造を形成して一体化されていることが好ましい。
【００３６】
ここで一体化とは、隣接する風力発電ユニット同士が物理的に固定されていることを意味する。その具体例としては、例えば、図５に示すように、一つの風力発電ユニット１０を上面視したときに六角形の形状を形成する辺の支柱３ａと、隣接する風力発電ユニット１０の六角形の形状の一辺の支柱３ａとが、２本の支柱をまとめる固定部材１１で物理的に連結されたり、図６に示すように、一つの風力発電ユニット１０のフレーム３の垂直方向の支柱３ｃと隣接する他の一つの風力発電ユニット１０のフレームの垂直方向の支柱３ｃとが固定部材１２で物理的に連結されたり、または、図７に示すように、一つの風力発電ユニット２０のフレーム３ａが、隣接する他の一つの風力発電ユニット２０のフレーム３ａとして共有され、七方継手であるジョイント１３ｂで連結されたりするようにして、互いに隣接する風力発電ユニット２０同士が固定されるような手段であってもよい。なお、物理的な固定は、固定部材を用いた連結のほか、溶接等による直接的な接合により、互いの部材同士を固定するような方法であってもよい。
【００３７】
次に、上述したような風力発電ユニット１０をハニカム構造を形成するように配置して形成された風力発電構造体１００の動作について図面を参照して説明する。
【００３８】
図４に示すように風力発電ユニット１０をハニカム構造を形成するように配置して形成された風力発電構造体１００は、風Ｗが内部に侵入したときには、各風力発電ユニット１０に備えられた垂直軸風車１がそれぞれ回転する。また、風力発電ユニット１０は、垂直軸風車１を備えるために、風力発電構造体１００の周囲のいずれの方向からの風を受けても回転するために、全ての風を余すことなく用いて回転する。
【００３９】
図２を参照して説明すれば、各風力発電ユニット１０の垂直軸風車１の羽根１ａが風Ｗを受けたとき、垂直軸風車１は回転軸２を中心軸として回転する。そして、垂直軸風車１の回転により発生した回転エネルギーは、回転軸２を介して回転式発電機４に駆動トルクとして伝達される。そして、伝達された駆動トルクにより回転式発電機４が回転駆動される。それにより、垂直軸風車１の運動エネルギーが電気エネルギーに変換されて回転式発電機４が発電する。回転式発電機４により発電された電力は、例えば、図２に示すような蓄電装置１３に一旦蓄電されて利用されたり、送電線を通じて必要な場所に送電されたり、直接、その場所で電力を消費する機器類に供給されたりして利用される。
【００４０】
なお、各風力発電ユニット１０が上述のような風防部材５を有する場合、風力発電構造体１００に吹く風の向きに応じて、風防部材５の向きを調整することにより、風力発電構造体１００の内部を通過する風の流れを制御して発電効率を向上させることができる。各風力発電ユニット１０の風防部材５の向きは、それぞれ個別に最適化するように独立して調整しても、複数の、又はすべての風力発電ユニット１０の風防部材５の向きを同じ方向に向くように一体として調整してもよい。風防部材５の向きは、予め採取された風向情報等のデータに基づいて予測した向きに調整したり、実際に設置場所に配置された風向計により測定された風向きに基づいて自動制御により最適な向きに調整したりするような方法により調整することが好ましい。
【００４１】
以上、本発明に係る風力発電構造体及び風力発電装置の実施形態を詳しく説明したが、本発明に係る風力発電構造体及び風力発電装置は上述した実施形態に限定されるものではなく、本発明の要旨を逸脱しない範囲において適宜変更して用いられてもよい。
【００４２】
例えば、風量が著しく高い強風時においては、回転式発電機が高回転させられて過負荷を受ける場合がある。回転式発電機が定格出力以上の発電量になるような風量の風を受けた場合、回転式発電機が損傷する恐れがある。このような過負荷を防ぐために、回転式発電機は負荷を制御することにより、回転数を制御するための回生ブレーキの機構やトルクリミッタ等を設けてもよい。
【００４３】
また、例えば、風力発電構造体１００を構成する風力発電ユニット１０はそれぞれ個別の回転式発電機４を備えていたが、複数の風力発電ユニット１０をギア構造等により一つの回転式発電機に接続して発電させてもよい。
【００４４】
また、風力発電構造体を配置した領域の面積当たりの発電量をさらに向上させるために、風力発電構造体の上面に、太陽光発電パネルを配置して太陽光発電を併用してもよい。
【００４５】
また、降雪地においては、地下水等の散布による融雪装置を設置することも好ましい。
【００４６】
以上説明した本発明に係る風力発電構造体は、ハニカム構造により構造上の高い強度を有する。また、簡単なユニット構造の組み合わせにより設置領域に合わせた平面形状を採用することができ、さらに組み合わせる数により発電量も調整することができる。従って、例えば、設置がしにくく、高い構造上の強度が要求される、強風の吹きやすい海上の浮体に設置する場合や、山間部の谷間等における風力発電に特に好ましく用いられる。
【００４７】
例えば、図８は、風力発電構造体１００を海上の浮体５０に設置したときの様子を示す。このような海上の浮体５０に設置した場合には、浮体５０の下に、漁礁５１を設けてもよい。このように漁礁５１を設けることにより、漁業にも利することができる。
【００４８】
また、図９は、風力発電構造体１００を山の斜面６０に設置したときの様子を示す。
【産業上の利用可能性】
【００４９】
本発明の風力発電構造体によれば、複数の垂直軸型風力発電装置を設置する場合において、高い構造上の強度を保持させることができる。そのために、極めて強い風が吹くような場所に設置しても高い安全性を維持できる。
【符号の説明】
【００５０】
１            垂直軸風車
１ａ          羽根
１ｂ          隔壁
２            回転軸
３            フレーム
３ａ，３ｃ    支柱
３ｂ，１３ｂ  ジョイント
４            回転式発電機
５,５ａ，５ｂ  風防部材
６ａ，６ａ’  ピニオン
６ｂ，６ｂ’  ピニオン軸
６ｃ，６ｃ’  環状ラック
８            サーボモータ
１０          風力発電ユニット
１１          固定部材
５０          浮体
５１          漁礁
６０          斜面
１００        風力発電構造体
Ｗ            風
【図１】
2015140736.tif 000003
【図２】
2015140736.tif 000004
【図３】
2015140736.tif 000005
【図４】
2015140736.tif 000006
【図５】
2015140736.tif 000007
【図６】
2015140736.tif 000008
【図７】
2015140736.tif 000009
【図８】
2015140736.tif 000010
【図９】
2015140736.tif 000011